(57)【要約】  破砕原料の種類や大きさの異なる複数の材料を一台のマシンで破砕できる遠心破砕機及び破砕装置である。ロータ２０内へ破砕原料を区分けして供給する手段３０を付設した。一台の遠心破砕機で以って、複数種類の破砕材料を破砕して個別に回収することができる。
2007069325.tif 000002
【特許請求の範囲】
【請求項１】
回転軸を中心に回転するロータと、該ロータを収容して、内部に破砕室を形成した破砕機本体とを具備した遠心破砕機であって、
前記ロータ内へ破砕原料を区分けして供給する手段を付設したことを特徴とする、
遠心破砕機。
【請求項２】
回転軸を中心に回転するロータと、該ロータを収容して、内部に破砕室を形成した破砕機本体とを具備した遠心破砕機であって、
前記ロータ内へ破砕原料を区分けして供給する手段を付設し、
前記破砕機本体の破砕室の下方に出口シュートを形成し、
該出口シュートを複数に区分けして形成したことを特徴とする、
遠心破砕機。
【請求項３】
請求項１又は請求項２において、前記ロータ内へ複数種類の破砕原料を区分けして供給する手段が、内部に複数の分配供給路を形成し、各分配供給路の終端に供給口を形成した分配供給管であることを特徴とする、遠心破砕機。
【請求項４】
請求項３において、分配供給管の隣り合う供給口と供給口の間に堰板を形成したことを特徴とする、遠心破砕機。
【請求項５】
回転軸を中心に回転するロータと、該ロータを収容して、内部に破砕室を形成した破砕機本体とにより構成される遠心破砕機を具備した破砕装置であって、
請求項２乃至請求項４に記載した何れかの遠心破砕機を使用し、
前記遠心破砕機のロータ内へ破砕原料を区分けして供給する手段と、ロータと、出口シュートの間に独立した複数の破砕系統を形成したことを特徴とする、
破砕装置。
【請求項６】
回転軸を中心に回転するロータと、該ロータを収容して、内部に破砕室を形成した破砕機本体とにより構成される遠心破砕機を具備した破砕装置であって、
請求項２乃至請求項４に記載した何れかの遠心破砕機を使用し、
前記遠心破砕機の出口シュートと、前記ロータ内へ破砕原料を区分けして供給する手段との間に、出口シュートから前記ロータ内へ破砕原料を区分けして供給する手段へ向けて破砕原料を還流する設け、
前記還流経路を通じて段階的に繰り返し破砕を行えるように構成したたことを特徴とする、
破砕装置。
【発明の詳細な説明】
【技術分野】
【０００１】
本発明は、鉱物やコンクリートガラ等の破砕原料を破砕する遠心破砕機に関し、より詳細には破砕原料の種類や大きさの異なる複数の材料を一台のマシンで同時に破砕できる遠心破砕機及び破砕装置に関するものである。
【背景技術】
【０００２】
鉛直軸を中心に高速回転する円筒状のロ−タを有し、このロ−タ内に投入した破砕原料をロ−タの回転により生じる遠心力を利用してロ−タ周面に開設した複数の放出口から高速で放出し、これをロータ周囲の破砕室内に形成されたデッドベッドに衝突させて細かく破砕する遠心破砕機は、特許文献１により公知である。【０００３】
又、例えば砕石を破砕して商品レベルの骨材を得るには、２〜３台の遠心破砕機を直列に配設して、これらの複数の遠心破砕機を経て所望の粒度分布の細骨材を得ている。
又、破砕材料が、例えば鉱物やコンクリートガラ等の複数の異種材料である場合は、その破砕原料の種類毎に遠心破砕機を配設して破砕している。【０００４】
【特許文献１】特開平１１−２８３７６号公報
【発明の開示】
【発明が解決しようとする課題】
【０００５】
従来の遠心破砕機は、破砕原料を破砕できる回数が、破砕原料が遠心破砕機を通過する一回であるため、前記したように複数台の遠心破砕機が必要となる。
遠心破砕機を複数台設置することは、マシンコストの高騰化を招くだけでなく、広い設置スペースを必要とするという問題がある。【０００６】
本発明は以上の問題点を解決するために成されたもので、その目的とするところは、破砕原料の種類や大きさの異なる複数の材料を一台のマシンで同時に破砕できる遠心破砕機及び破砕装置を提供することにある。
【課題を解決するための手段】
【０００７】
本願の第１発明は、回転軸を中心に回転するロータと、該ロータを収容して、内部に破砕室を形成した破砕機本体とを具備した遠心破砕機であって、前記ロータ内へ破砕原料を区分けして供給する手段を付設したことを特徴とする、遠心破砕機を提供する。【０００８】
本願の第２発明は、回転軸を中心に回転するロータと、該ロータを収容して、内部に破砕室を形成した破砕機本体とを具備した遠心破砕機であって、前記ロータ内へ破砕原料を区分けして供給する手段を付設し、前記破砕機本体の破砕室の下方に出口シュートを形成し、該出口シュートを複数に区分けして形成したことを特徴とする、遠心破砕機を提供する。【０００９】
本願の第３発明は、前記した第１発明又は第２発明において、前記ロータ内へ複数種類の破砕原料を区分けして供給する手段が、内部に複数の分配供給路を形成し、各分配供給路の終端に供給口を形成した分配供給管であることを特徴とする、遠心破砕機を提供する。【００１０】
本願の第４発明は、前記した第３発明において、分配供給管の隣り合う供給口と供給口の間に堰板を形成したことを特徴とする、遠心破砕機を提供する。【００１１】
本願の第５発明は、回転軸を中心に回転するロータと、該ロータを収容して、内部に破砕室を形成した破砕機本体とにより構成される遠心破砕機を具備した破砕装置であって、前記した第２発明乃至第４発明に記載した何れかの遠心破砕機を使用し、前記遠心破砕機のロータ内へ破砕原料を区分けして供給する手段と、ロータと、出口シュートの間に独立した複数の破砕系統を形成したことを特徴とする、破砕装置を提供する。【００１２】
本願の第５発明は、回転軸を中心に回転するロータと、該ロータを収容して、内部に破砕室を形成した破砕機本体とにより構成される遠心破砕機を具備した破砕装置であって、第２発明乃至第４発明に記載した何れかの遠心破砕機を使用し、前記遠心破砕機の出口シュートと、前記ロータ内へ破砕原料を区分けして供給する手段との間に、出口シュートから前記ロータ内へ破砕原料を区分けして供給する手段へ向けて破砕原料を還流する設け、前記還流経路を通じて段階的に繰り返し破砕を行えるように構成したたことを特徴とする、破砕装置を提供する。
【発明の効果】
【００１３】
本発明は次の優れた効果を得ることができる。
（１）破砕原料の種類や大きさの異なる複数の材料を一台の遠心破砕機で破砕することができる。
（２）一台の遠心破砕機で以って、複数種類の破砕材料毎を破砕しながら、種類毎に破砕した破砕材を回収することができる。
（３）破砕室内にデッドベッドを形成する際、分配供給管の隣り合う供給口と供給口の間に設けた堰板が遮蔽部材となって、ロータの周囲に形成される複数種類のデッドベットがラップするのを防止することができる。
（４）従来の破砕方法では複数台の遠心破砕機を必要とする作業を、本発明においては、一台の遠心破砕機で処理できるから、マシン全体の設置スペースやマシンコストを大幅に縮小することが可能となる。
（５）遠心破砕機に還流経路を設けた場合は、一台の遠心破砕機で以って、破砕原料を複数回に亘って破砕することができる。
複数台の遠心破砕機を直列的に配列して破砕した従来の破砕装置と比べて、マシンの設置スペースを小さくできるうえに、装置の全体コストを大幅に低減することができる。
【発明を実施するための最良の形態】
【００１４】
以下、図面を参照しながら本発明に係る一実施の形態について説明する。【００１５】
（１）遠心破砕機の概要
図１に本発明に係る遠心破砕機１０の縦断面図を示し、図２にその要部の水平断面図を示す。
遠心破砕機１０は鉛直の回転軸５３を中心に一方向に回転するロータ２０と、ロータ２０の中心部へ破砕原料を供給する分配供給管３０と、ロータ２０を回転自在に収容する破砕機本体４０とにより構成されていて、複数の破砕原料を同時に破砕すると共に、破砕した原料を夫々分離して回収できるようになっている。
以降に主要な構成部材について詳述する。
【００１６】
（２）ロータ
ドラム状のロータ２０は、所定の間隔を隔てて上下に相対向させて配置した天板５０及び底板５１を具備している。
両板５０，５１の間には、破砕原料を放出する開放された複数の放出口２６が形成されている。
本例では、ロータ２０の周面に等間隔に三つの放出口２６を形成した場合について説明するが、放出口２６の形成数は例えば二つ、或いは四つ以上であってもよい。
またロータ２０はその周面に図示しないハンマを突設し、放出口２６から放出された破砕原料をハンマで破砕するタイプであってもよく、公知の各種ロータを適用することができる。【００１７】
天板５０の中心には、分配供給管３０の下部を挿入可能な中心孔５２が形成されている。
底板５１の下面中心には回転軸５３が一体に設けられ、図示しないモータの回転駆動を受けてロータ２０に一方向へ向けた回転を与えられるように構成されている。
【００１８】
（３）分配供給管
分配供給管３０は複数種類の破砕原料を供給するために複数の供給通路を形成した管体で、破砕機本体４０や図示しない他の静止部材に固定されている。【００１９】
図３，４に示すように分配供給管３０内には、縦方向に設けた断面三叉状の仕切材３１により複数（本例では三つ）に区画した分配供給路３２が形成されている。
分配供給管３０の下部周面には、各分配供給路３２毎に供給口３３が形成されており、また分配供給管３０の下部は底栓３４により閉鎖されている。【００２０】
本発明は分配供給管３０を通してロータ２０内へ複数の破砕原料を個別の供給通路を経て供給し得るように構成したものである。
要は、内部空間を複数に区画した分配供給管３０の複数の分配供給路３２及び供給口３３を通じて、ロータ２０の中心部における３６０°の供給範囲に対して、互いに供給範囲が重合することなく、予め分割した所定の分割角度（本例では１２０°）の範囲内で夫々破砕原料を個別に供給できる構成になっていればよい。【００２１】
また分配供給管３０の分配供給路３２及び供給口３３は、後述するように複数の破砕原料毎にデッドベット４３を形成するためのものであるから、分配供給路３２及び供給口３３を均等にする必要はなく、破砕原料の種類や供給量等に応じて適宜の分割角度に設定してもよい。【００２２】
また分配供給路３２及び供給口３３の形成数は、三つに限定されるものではなく、二つ以上であればよい。【００２３】
又、図３に拡大して示すように、各供給口３３に面した仕切材３１の外縁部には、水平断面が略Ｔ字形を呈するように堰板３５が設けられている。
堰板３５は各供給口３３からロータ２０内へ供給される破砕原料が互いに交じり合わないように、破砕原料の放出範囲（放出角度）を小さくするためのもので、本例では分配供給管３０の側面を利用して形成しているが、仕切材３１の板厚を厚く設定して代用することも可能である。
【００２４】
（４）破砕機本体
図１に示すようにロータ２０を収容する破砕機本体４０の内部には、ロータ２０の周囲を囲繞するように環状の破砕室４１が形成されている。この破砕室４１内には、ロータ２０から放出された破砕原料が堆積してデッドベッド４３が形成されるが、本発明ではロータ２０に投入した複数種類の破砕原料毎にデッドベッド４３が形成される。
デッドベッド４３は、前記した分配供給管３０の分配供給路３２及び供給口３３の形成数と同じ数が形成され、またそのデッドベッド４３の形成範囲は各供給口３３の形成範囲に基づく。【００２５】
破砕機本体４０の破砕室４１の下方には、出口シュート４４が設けられている。
出口シュート４４の中心部には、図５に示すように回転軸５３を内挿する中心筒４５が設けられ、この中心筒４５と出口シュート４４の間には、縦方向に設けた断面三叉状の仕切材４６により複数（本例では三つ）に区画した分配回収路４７が形成されている。【００２６】
本発明では、分配供給管３０を通してロータ２０内へ個別に供給して破砕した複数種類の破砕原料を、出口シュート４４を通じて夫々個別に回収できるようになっている。
出口シュート４４の分配回収路４７の形成数は、前記した分配供給管３０の分配供給路３２及び供給口３３の形成数と同数に設定されているが、それ以上であってもよい。【００２７】
又、分配供給管３０の分配供給路３２及び供給口３３と、出口シュート４４の分配回収路４７の形成位置は、分配供給管３０の分配供給路３２及び供給口３３の形成位置に基づく複数種類のデットベッド４３の形成位置に対応するように関係付けられている。
【００２８】
（５）破砕方法
次に本発明に係る遠心破砕機１０の破砕方法について説明する。
本発明に係る遠心破砕機１０は、ロータ２０の中心部へ投入した破砕原料を、遠心力によりロータ２０内のデットレスト２５に沿って転動させた後、ビット２３による破砕と、放出口２６から放出して周囲のデッドベッド４３に衝突させて破砕するといった基本的な破砕原理は従来と同様である。【００２９】
本発明は、ロータ２０内に破砕材料を投入するに当たり、複数の分配供給路３２及び供給口３３を形成した分配供給管３０を通じて複数種類の破砕材料を、ロータ２０内で特定の範囲に供給するようにした。
これにより、破砕室４１内に形成されるデッドベッド４３を複数種類の破砕材料毎に形成することが可能となる。【００３０】
デッドベッド４３を形成する際、分配供給管３０の隣り合う供給口３３と供給口３３の間に設けた堰板３５が遮蔽部材となって、ロータ２０の周囲に形成される複数種類のデッドベット４３がラップするのを防止する。【００３１】
また本発明は複数種類の破砕材料毎にデッドベッド４３を形成すると共に、これらの各デッドベッド４３から落下する破砕済みの原料を個別に回収するため、出口シュート４４の内部に複数の分配回収路４７を形成するように区画した。
これにより、複数種類の破砕材料毎に破砕された原料を個別に回収することが可能となる。
したがって、本発明に係る遠心破砕機１０は、複数種類の破砕材料毎に上記した破砕工程と回収工程を同時に並行して行うことができる。【００３２】
ロータ２０、分配供給管３０及びデッドベッド４３のモデル図を示した図６を基に、破砕原料の供給位置とデッドベッド４３の形成位置の関係について詳しく説明する。【００３３】
分配供給管３０の三つの各供給口３３を通じて、半時計回り方向に回転するロータ２０内へ夫々種類の異なる破砕原料Ａ，Ｂ，Ｃを供給した場合について説明する。【００３４】
例えば、分配供給管３０の特定の供給口３３から供給された破砕原料Ａは始端ａ1〜終端ａ2の範囲に亘ってロータ２０内に放出され、さらにロータ２０内の破砕原料Ａが各放出口２６から投げ出される結果、始端ａ1〜終端ａ2の範囲に亘って破砕原料Ａ´のデッドベッド４３が形成される。【００３５】
同様に、分配供給管３０の特定の供給口３３からｂ1〜ｂ2、ｃ1〜ｃ2の範囲に亘って供給された破砕原料Ｂ，Ｃも、同様にロータ２０の周囲に始端ｂ1〜終端ｂ2、始端ｃ1〜終端ｃ2の範囲に亘って破砕原料Ｂ´，Ｃ´のデッドベッド４３が形成される。【００３６】
このように、分配供給管３０の特定の供給口３３を通じてロータ２０内へ投入された破砕原料の放出方向が常に特定範囲内に限られることから、分配供給管３０に形成する供給口３３の形成位置によって、デッドベッド４３の形成位置が決まり、また分配供給管３０に形成する供給口３３の形成範囲によって、デッドベッド４３の形成範囲が求められる。【００３７】
したがって、この複数種類毎に形成されるデットベッド４３に対応して出口シュート４４内に分配回収路４５を形成しておけば、特定の種類毎にデットベッド４３に衝突させて破砕した原料を個別に回収することができる。
【００３８】
［その他の変形例１］
以降に他の変形例や他の実施の形態について説明するが、その説明に際し、前記した実施の形態と同一の部位は同一の符号を付してその詳しい説明を省略する。【００３９】
前記した分配供給管３０と出口シュート４４は交換可能に構成してもよい。
本例にあっては、破砕対象である破砕原料の種類数に応じた分配数に空間を区画した分配供給管３０と出口シュート４４とを交換するだけで対処できるから、遠心破砕機１０の全体を交換する必要がない。【００４０】
また分配供給管３０は一本物の管に限定されるものではなく、破砕原料の種類数に対応し得るように複数の単体で構成してもよい。
【００４１】
［その他の変形例２］
ロータ２０は既述したように分配供給管３０を通して供給した破砕原料を、遠心力によりロータ２０内に形成される破砕原料のデットレスト２５を経て放出口２６から放出する場合のほかに、デットレスト２５を経ずに直接放出口２６から放出する形態であってもよい。
【００４２】
［その他の実施の形態１］【００４３】
つぎに前記した遠心破砕機１０を用いた破砕装置について説明する。
図７に示した破砕装置は分配供給管３０を通じて複数種類の破砕原料Ａ〜Ｃを、一台の遠心破砕機１０へ供給し、出口シュート４４を通じて破砕された破砕原料Ａ´〜Ｃ´を回収するようにしたものである。
破砕原料Ａ〜Ｃとしては、例えば軟岩、硬質岩、コンクリートガラ等のように材質や硬度の異なる破砕原料を適用することができる。
すなわち、遠心破砕機のロータ内へ破砕原料を区分けして供給する手段である分配供給管３０と、ロータ２０と、出口シュート４４の間に独立した複数の破砕系統が形成され、これらの独立した複数の破砕系統を通じて破砕作業を同時に並行して行う。【００４４】
従来の破砕方法では複数台の遠心破砕機を必要とする作業を、本例においては、一台の遠心破砕機１０で処理できるから、マシン全体の設置スペースやマシンコストを大幅に縮小することが可能となる。
【００４５】
［その他の実施の形態２］【００４６】
図８に他の破砕装置を示す。
同図の破砕装置は、遠心破砕機１０の出口シュート４４と分配供給管３０との間に単数又は複数の還流経路６０を接続して、単種の破砕原料Ａを一台の遠心破砕機１０で以って段階的に繰り返し破砕を行えるように構成したものである。
図面中に丸枠で表示した数字１〜３は、破砕原料Ａの供給と排出の順番を例示したものである。
単種の破砕原料Ａは、一度破砕された後、還流経路６０を通じて複数回に亘る破砕作業を経て、所定の粒度分布を有する破砕原料Ａ´として出口シュート４４の一部の分配回収路４６から排出される。【００４７】
従来の破砕方法では、直列的に複数台の遠心破砕機を配列して破砕していた破砕作業を、本例においては、一台の遠心破砕機１０で循環しながら繰り返し破砕できるから、マシンの設置スペースやマシンコストを大幅に縮小することが可能となる。
【図面の簡単な説明】
【００４８】
【図１】本発明に係る遠心破砕機の縦断面図
【図２】図１におけるＩ−Ｉの断面図
【図３】図１におけるIII−IIIの断面図
【図４】一部を省略した分配供給管の斜視図
【図５】図１におけるＶ−Ｖの断面図
【図６】破砕原料の供給位置とデッドベッドの形成位置の関係を説明するための遠心破砕機のモデル図
【図７】その他の実施の形態１に係る破砕装置のモデル図
【図８】その他の実施の形態２に係る破砕装置のモデル図
【符号の説明】
【００４９】
１０・・・・・遠心破砕機
２０・・・・・ロータ
２６・・・・・放出口
３０・・・・・分配供給管
３１・・・・・仕切材
３２・・・・・分配供給路
３３・・・・・供給口
４０・・・・・破砕機本体
４１・・・・・破砕室
４３・・・・・デッドベッド
４４・・・・・出口シュート
４５・・・・・仕切材
４６・・・・・分配回収路
６０・・・・・還流経路
【図１】
2007069325.tif 000003
【図２】
2007069325.tif 000004
【図３】
2007069325.tif 000005
【図４】
2007069325.tif 000006
【図５】
2007069325.tif 000007
【図６】
2007069325.tif 000008
【図７】
2007069325.tif 000009
【図８】
2007069325.tif 000010
【国際調査報告】
2007069325.tif 000011
2007069325.tif 000012
2007069325.tif 000013
2007069325.tif 000014